(57)【要約】【課題】アップリンクグラントを送信するための方法及び装置を提供する。【解決手段】複数の候補ダウンリンクサブフレームからダウンリンクサブフレームを選択することによってアップリンクグラントを送信するステップを備え、複数のダウンリンクサブフレームの各々は少なくとも１つのユーザ機器のスケジューリングがアップリンクサブフレームにおいてバーストデータを送信開始することを可能とする。【選択図】  図１
2020102892.tif 000002
【特許請求の範囲】
【請求項１】
アップリンクグラントを送信する方法であって、
複数の候補ダウンリンクサブフレームからダウンリンクサブフレームを選択するステップによって前記アップリンクグラントを送信するステップであって、前記複数のダウンリンクサブフレームの各々は少なくとも１つのユーザ機器のスケジューリングが同一のアップリンクサブフレームにおいてバーストデータを送信開始することを可能とするステップ
を備える方法。
【請求項２】
前記選択するステップは、
モニタリング動作に基づいて、前記複数の候補ダウンリンクサブフレームからアイドル状態のダウンリンクサブフレームを、前記アップリンクグラントを送信するための前記ダウンリンクサブフレームとして決定するステップを備える、請求項１に記載の方法。
【請求項３】
最小スケジューリング遅延要件は、前記選択されたダウンリンクサブフレームと前記バーストデータを送信するための前記アップリンクサブフレームとの間で満たされる、請求項１又は請求項２に記載の方法。
【請求項４】
前記選択されたダウンリンクサブフレームと前記アップリンクサブフレームとの間の実際の遅延を第１のダウンリンク制御情報で動的に示すステップであって、前記実際の遅延は前記最小スケジューリング遅延要件を満たす、ステップをさらに備える請求項３に記載の送信方法。
【請求項５】
前記バーストデータの継続期間を第２のダウンリンク制御情報で動的に示すステップをさらに備える請求項１又は請求項２に記載の方法。
【請求項６】
アップリンクグラントの送信のための装置であって、
複数の候補ダウンリンクサブフレームからダウンリンクサブフレームを選択することによって前記アップリンクグラントを送信するための送信モジュールであって、前記複数のダウンリンクサブフレームの各々は少なくとも１つのユーザ機器のスケジューリングが同一のアップリンクサブフレームにおいてバーストデータを送信開始することを可能とする送信モジュールを備えた装置。
【請求項７】
モニタリング動作に基づいて、前記複数の候補ダウンリンクサブフレームからアイドル状態のダウンリンクサブフレームを、前記アップリンクグラントを送信するための前記ダウンリンクサブフレームとして決定するためのモニタリングモジュールをさらに備えた請求項６に記載の装置。
【請求項８】
最小スケジューリング遅延要件は、前記選択されたダウンリンクサブフレームと前記バーストデータを送信するための前記アップリンクサブフレームとの間で満たされる、請求項６又は請求項７に記載の装置。
【請求項９】
前記選択されたダウンリンクサブフレームと前記アップリンクサブフレームとの間の実際の遅延を第１のダウンリンク制御情報で動的に示すための第１の指示モジュールであって、前記実際の遅延は前記最小スケジューリング遅延要件を満たす、第１の送信モジュールをさらに備えた請求項８に記載の装置。
【請求項１０】
前記バーストデータの継続期間を第２のダウンリンク制御情報で動的に示すための第２の指示モジュールをさらに備えた請求項６又は請求項７に記載の装置。
【請求項１１】
アップリンクグラントを受信する方法であって、
ダウンリンクサブフレーム上で送信された前記アップリンクグラントをユーザ機器で受信するステップであって、前記ダウンリンクサブフレームは複数の候補ダウンリンクサブフレームから選択され、前記複数のダウンリンクサブフレームの各々は前記ユーザ機器のスケジューリングが同一のアップリンクサブフレームにおいてバーストデータを送信開始することを可能とするステップ
を備える方法。
【請求項１２】
前記ダウンリンクサブフレームは、モニタリング動作に基づいて前記アップリンクグラントを送信するための前記複数の候補ダウンリンクサブフレームから決定されたアイドル状態のダウンリンクサブフレームである、請求項１１に記載の方法。
【請求項１３】
最小スケジューリング遅延要件は、前記ダウンリンクサブフレームと前記バーストデータを送信するための前記アップリンクサブフレームとの間で満たされる、請求項１１又は請求項１２に記載の方法。
【請求項１４】
前記ダウンリンクサブフレームと前記アップリンクサブフレームとの間の実際の遅延を動的に示す第１のダウンリンク制御情報を受信するステップであって、前記実際の遅延は前記最小スケジューリング遅延要件を満たす、ステップをさらに備える請求項１３に記載の送信方法。
【請求項１５】
前記バーストデータの継続期間を動的に示す第２のダウンリンク制御情報を受信するステップをさらに備える請求項１１又は請求項１２に記載の方法。
【請求項１６】
アップリンクグラントの受信のための装置であって、
ダウンリンクサブフレーム上で送信された前記アップリンクグラントを受信するための受信モジュールであって、前記ダウンリンクサブフレームは複数の候補ダウンリンクサブフレームから選択され、前記複数のダウンリンクサブフレームの各々は前記装置のスケジューリングが同一のアップリンクサブフレームにおいてバーストデータを送信開始することを可能とする受信モジュールを備えた装置。
【請求項１７】
前記ダウンリンクサブフレームは、モニタリング動作に基づいて前記アップリンクグラントを送信するための前記複数の候補ダウンリンクサブフレームから決定されたアイドル状態のダウンリンクサブフレームである、請求項１６に記載の装置。
【請求項１８】
最小スケジューリング遅延要件は、前記ダウンリンクサブフレームと前記バーストデータを送信するための前記アップリンクサブフレームとの間で満たされる、請求項１６又は請求項１７に記載の装置。
【請求項１９】
前記受信モジュールは、前記ダウンリンクサブフレームと前記アップリンクサブフレームとの間の実際の遅延を動的に示す第１のダウンリンク制御情報をさらに受信し、前記実際の遅延は前記最小スケジューリング遅延要件を満たす、請求項１８に記載の装置。
【請求項２０】
前記受信モジュールは、前記バーストデータの継続期間を動的に示す第２のダウンリンク制御情報をさらに受信する、請求項１６又は請求項１７に記載の装置。
【発明の詳細な説明】
【技術分野】
【０００１】
本開示の実施形態は、概略として通信の送信分野に関し、より具体的には通信の送信におけるアップリンク送信のためのアップリンクグラントに関する。
【背景技術】
【０００２】
第７０回のＲＡＮ会議において、拡張Ｌｉｃｅｎｓｅｄ−Ａｓｓｉｓｔｅｄ  Ａｃｃｅｓｓ  ｆｏｒ  ＬＴＥ（ｅＬＡＡ−ＬＴＥ）についての新規検討項目が、アップリンク（ＵＬ）のための免許不要スペクトル上でＬｉｃｅｎｓｅｄ−Ａｓｓｉｓｔｅｄ  Ａｃｃｅｓｓ（ＬＡＡ）Ｓセルオペレーションをサポートすることが認可された（提案書ＲＰ−１５２２７２「ＬＴＥのための拡張ＬＡＡについての新規検討項目」、エリクソン、ファーウェイ、２０１５年１２月７日〜１２月１０日参照）。具体的には、免許スペクトルからのセルフスケジューリング及びクロスキャリアスケジューリングの双方が、ＵＬ送信のためにサポートされなくてはならない。クロスキャリアスケジューリングの場合、ユーザ機器（ＵＥ）はそのＵＬ送信の前にｌｉｓｔｅｎ−ｂｅｆｏｒｅ−ｔａｌｋ（ＬＢＴ）を実行できればそれに基づいて、ＵＬグラントが免許キャリアから送信される。これは、ＬＢＴオペレーション（すなわち、送信機が送信前にＬＢＴを実行するように要求される）が１回のみ、ＬＢＴについての欧州基準要件（ＥＴＳＩ  ＥＮ  ３０１  ８９３（Ｖ１．８．０）「Ｒ＆ＴＴＥ指令条項３．２の必須要件をカバーするハーモナイズされたＥＮ」２０１５年１月）の要件に従ってｅＬＡＡ  ＵＬのために要求されることを意味する。一方、セルフスケジューリングの場合、２回のＬＢＴがＵＬ送信のために要求される（すなわち、ＬＢＴはＵＬグラント送信前にｅＬＡＡ  ｅＮＢによって実行され、ＬＢＴはまたＵＬデータ送信前にＵＥによって実行される）ので、チャネル利用機会が減少してしまう。
【０００３】
したがって、ＵＬ  ｅＬＡＡのセルフスケジューリングに関するチャネルアクセス問題は、ＵＬチャネルアクセス機会の増加及びリソース利用の増加のために検討されるべきである。上述したように、ＵＥに割り当てられたリソースは他のＵＥに割り当てられることはないため、ＵＬデータ送信のためのチャネルアクセス問題はリソースの浪費を明示的にもたらす。発明者によって提出された提案書「ＲＩ−１５４５７４」「ＤＬ及びＵＬでのＬＡＡのためのＬＢＴ及びフレーム構造デザイン」アルカテルルーセント上海ベル、アルカテルルーセント、２０１５年５月２５日〜５月２９日、において、上述の状況下での競合ベースのＵＬアクセスメカニズムがＵＬ送信機会を増加させるために議論され、そこでユーザ群は、異なるＣＣＡタイミング時点で同一リソースを競合するように同時にスケジューリングされ得る。一方、ＵＬ  ｅＬＡＡのセルフスケジューリングに関してＵＬグラントの問題を検討する詳細な解決手段はこれまでない。ここで説明する主題の実施形態において、拡張ＵＬグラントメカニズムが、ＵＬ送信のためのＵＬグラントの送信機会を増加させるために提示される。
【発明の概要】
【０００４】
現行のＬＴＥ仕様において、アップリンク送信のためのＵＬグラントは、ダウンリンクサブフレームにおいて送信され（例えば、２つのサブフレーム間の遅延は４ｍｓである）、アップリンク送信されるのに必要とされるアップリンクサブフレームの前に予め定義される、すなわち、その２つの間のタイミングは予め定義される。ここで説明する主題の実施形態の基本的アイデアは、ＵＬ送信のためのＵＬグラントの機会を一層向上させるのにフォワードＵＬグラントを採用するので、現行のＬＴＥシステムとは異なるものである。
【０００５】
ここで説明する主題の一態様によると、アップリンクグラント送信のための方法が提供され、複数の候補ダウンリンクサブフレームからダウンリンクサブフレームを選択することによってアップリンクグラントを送信するステップであって、複数のダウンリンクサブフレームの各々は、少なくとも１つのＵＥのスケジューリングがアップリンクサブフレームにおいてバーストデータを送信開始することを可能とするステップを備える。
【０００６】
ここで説明する主題の実施形態によると、送信方法は、モニタリング動作に基づいて、複数の候補ダウンリンクサブフレームからアイドル状態のダウンリンクサブフレームを、アップリンクグラントを送信するためのダウンリンクサブフレームとして決定するステップをさらに備える。
【０００７】
ここで説明する主題の実施形態によると、送信方法において、スケジューリングの最小遅延要件が、選択されたダウンリンクサブフレームとバーストデータを送信するためのアップリンクサブフレームとの間で満たされる。
【０００８】
ここで説明する主題の実施形態によると、送信方法は、選択されたダウンリンクサブフレームとバーストデータを送信するためのアップリンクサブフレームとの間の実際の遅延を第１のダウンリンク制御情報で動的に示すステップであって、実際の遅延は最小スケジューリング遅延要件を満たすステップをさらに備える。例えば、スケジューリングされるデータによって送信されるタイミングは、ダウンリンク制御情報（ＤＣＩ）において動的に示され得る。ＤＣＩは、どのサブフレームにおいてスケジューリングされるデータ送信が送信されるべきかを示す。
【０００９】
ここで説明する主題の実施形態によると、送信方法は、バーストデータの継続期間を第２のダウンリンク制御情報で動的に示すステップをさらに備える。
【００１０】
ここで説明する主題の他の第２の態様によると、アップリンクグラント送信のための装置が提供され、複数の候補ダウンリンクサブフレームからダウンリンクサブフレームを選択することによってアップリンクグラントを送信するための送信モジュールであって、ダウンリンクサブフレームの各々は、少なくとも１つのＵＥのスケジューリングが同一のＵＬサブフレーム上でバーストデータを送信開始することを可能とするモジュールを備える。
【００１１】
ここで説明する主題の実施形態によると、装置は、モニタリング動作に基づいて、複数の候補ダウンリンクサブフレームからアイドル状態のダウンリンクサブフレームを、アップリンクグラントを送信するためのダウンリンクサブフレームとして決定するためのモニタリングモジュールをさらに備える。
【００１２】
ここで説明する主題の実施形態によると、機器において、最小スケジューリング遅延要件が、ダウンリンクサブフレームとバーストデータを送信するためのアップリンクサブフレームの間で満たされる。
【００１３】
ここで説明する主題の実施形態によると、装置は、選択されたダウンリンクサブフレームとアップリンクサブフレームとの間の実際の遅延を第１のダウンリンク制御情報で動的に示すための第１の指示モジュールであって、実際の遅延は最小スケジューリング遅延要件を満たす第１の指示モジュールをさらに含む。
【００１４】
ここで説明する主題の実施形態によると、装置は、バーストデータの継続期間を第２のダウンリンク制御情報で動的に示すための第２の指示モジュールをさらに含む。
【図面の簡単な説明】
【００１５】
【図１】図１は、ＴＤＤコンフィグレーション２との組合せで提供される第１の代替的解決手段のアップリンクグラントデザインを示す。
【図２】図２は、複数サブフレームスケジューリングと組み合わせた複数のＵＥのための強化されたＵＬグラントメカニズムについての図である。
【図３】図３は、ここで説明する主題の実施形態による、アップリンクグラントのための送信方法を示す。
【図４】図４は、ここで説明する主題の実施形態による、アップリンクグラントを送信するための装置を示す。
【図５】図５は、ここで説明する主題の実施形態による、アップリンクグラントを受信するための装置を示す。
【発明を実施するための形態】
【００１６】
上述のＵＬグラントの機会を達成してＵＬ送信のためのＵＬ機会を一層向上させるために、ここで説明する主題において、ダウンリンク命令とアップリンク送信との間の遅延が遅延情報のスケジューリングによって示され、すなわち、ＤＣＩとスケジューリングされるデータ送信との間の相対的タイミングによって指示が実行される。
【００１７】
例えば、ＤＣＩがサブフレームｎで送信されると、スケジューリングされるデータ送信はＤＣＩにおいて示された値に応じてサブフレームｎ＋４、ｎ＋５、ｎ＋６又はｎ＋７において実行され得る。
【００１８】
具体的には、ここで説明する主題の実施形態において、有限個の可能な値が提供される。相対的タイミングの指示はスケジューリング遅延の絶対値を表すことができ、又はインデックスがセットの値のうちの１つを指し示すのに使用され得る。後者の場合、可能な値のセットは、仕様においてあらかじめ定義されるか、又は上位層シグナリングによって指示されるかのいずれかであればよい。
【００１９】
この部分は、セルフスケジューリングでのＵＬ  ｅＬＡＡの状況において提案される解決手段の実施形態を複数提供し、フォワードＵＬグラント方法を使用して免許不要スペクトル上でＵＬスケジューリングの機会を増大させる。
【００２０】
フォワードＵＬグラント
Ｎ個の候補サブフレームが特定のＵＬサブフレームＫＵのＵＬグラントを送信するために許可されるものとすると、スケジューリング遅延（すなわち、ＵＬグラント送信のサブフレームＫＤとスケジューリングされるサブフレームＫＵとの間の差）は、ＵＥの実際の処理能力を考慮するとＴｍｉｎ未満となるべきである。最小スケジューリング遅延Ｔｍｉｎ及び候補サブフレームＮの数は、ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）によって構成され得る。現在、ＬＴＥによって使用される最小スケジューリング遅延は４ｍｓであり、候補サブフレームの数は１である。本解決手段では、複数の候補サブフレームが、ＵＬグラントの送信のために検討される。候補サブフレームの構成に基づいて、サービングするｅＮＢは、候補サブフレームのＬＢＴ手続きを実行し、チャネルがアイドル状態の候補サブフレームの１つにおいて特定のサブフレームのＵＬグラントをそのスケジューリングされるＵＥに送信する。ここでは、スケジューリング遅延はＵＬグラントＤＣＩに含まれるべきであり、そうではなくスケジュール遅延がＵＬグラントＤＣＩにない場合、デフォルトのスケジューリング遅延、例えば４ｍｓ、がＵＬグラントに対して検討される。同時に、ＵＥは、ＤＬサブフレーム内にＵＬグラントＤＣＩを盲目的に検出する。ＵＬグラント情報に基づいて、スケジューリングされるＵＥは、ＵＬ送信のためにどのサブフレームにおいてスケジューリングされるかを把握する。
【００２１】
図１に示すように、ＵＬグラントは複数の候補ダウンリンクサブフレームからダウンリンクサブフレームを選択することによって送信可能であり、複数のダウンリンクサブフレームの各々は少なくとも１つのＵＥのスケジューリングが同一のアップリンクサブフレームにおいてバーストデータを送信開始することを可能とする。
【００２２】
選択的に、送信機が送信前にＬＢＴを実行する必要がある場合、アップリンクグラントを送信するためのアイドル状態のダウンリンクサブフレームがモニタリング動作に基づいて決定され得る。
【００２３】
以下では、ＵＬグラントデザインが、ＴＤＤコンフィグレーション２と組み合わせてＵＬ送信の前にＬＢＴ方式（第１の代替手段）を実行するためにＵＥによって提供される。最小スケジューリング遅延が４ｍｓで、３つの候補サブフレームが免許不要キャリア上でＵＬグラントのために構成される、すなわち、ダウンリンクサブフレーム＃１／３がＵＬサブフレーム＃７のＵＬグラントのために構成され、ダウンリンクサブフレーム＃６／８がＵＬサブフレーム＃２のＵＬグラントのために構成されるものとする。サービングｅＮＢは、まずサブフレーム＃１のＬＢＴを実行する。サブフレーム＃１においてチャネルがアイドル状態である場合、サービングｅＮＢはサブフレーム＃７のＵＬグラント情報をスケジューリングされるＵＥに示す。アップリンクサブフレーム＃２に対して、サービングｅＮＢは、まずサブフレーム＃６のＬＢＴを実行する。サブフレーム＃６でチャネルは使用中のため、サービングｅＮＢはサブフレーム＃２のＵＬグラント情報をチャネルがアイドル状態のサブフレーム＃８上で示す。図２に示すように、選択されたダウンリンクサブフレーム及びデータを送信するためのアップリンクサブフレームは、それぞれ４ｍｓ及び６ｍｓの遅延を有する。代替的に、選択されたダウンリンクサブフレームとアップリンクサブフレームとの間の遅延は、第１のダウンリンク制御情報によって示される。
【００２４】
選択的に、バーストデータの継続期間は、第２のダウンリンク制御情報で動的に示されてもよい。図２に示すように、バーストデータの継続期間は２つのアップリンクサブフレームのように第２のダウンリンク制御情報で動的に示され、すなわち、ＵＥ１及びＵＥ２の両方がアップリンク送信のために２つのアップリンクサブフレーム＃７及び＃８を使用することを示す。
【００２５】
４ｍｓのスケジューリング遅延を有する既存のＵＬグラントデザインと比較すると、提案される解決手段は免許不要キャリア上のセルフスケジューリングの場合においてＵＬ送信のためのスケジューリング機会をより多く取得し、例えばこの状況下で現行のＵＬグラントメカニズムの場合、サブフレーム＃３は使用中であるのでＵＬサブフレーム＃７はＵＬグラント機会を失う。
【００２６】
複数サブフレームスケジューリングでの利用
ＵＬスケジューリンググラント機会の更なる向上のために、提案されるＵＬグラント機会のメカニズムは、複数サブフレームスケジューリングと組み合わされることがあり、すなわち、ｅＮＢが複数の候補位置の１つでチャネルを獲得すると、ＵＥは１つのＵＬグラントを介してスケジューリングされて複数の連続するＵＬサブフレーム上でＵＬデータを送信する。この場合、グラントされるサブフレームの数は、スケジューリング遅延の他に、暗黙的に又は明示的にＵＥに示される必要がある。詳細な方法は以下のとおりである：
（１）一実施形態において、ＵＥに対してグラントされるサブフレームの数は、ＵＬグラントＤＣＩにおいて明示的に示され得る。
（２）他の実施形態では、ＵＥに対してグラントされるサブフレームの数は、ＴＤＤコンフィグレーションによって暗黙的に示され得る。ＵＥがそのＵＬグラントを検出すると、ＵＥはＴＤＤコンフィグレーションの連続する複数のＵＬサブフレーム上でスケジューリングされる。この場合、ｅＬＡＡ  ＳＣｅｌｌ上のＵＬ送信のための複数サブフレームスケジューリングについてのモードは、あらかじめ定義され、又はＲＲＣシグナリング若しくはＬ１シグナリングを介してｅＮＢによって示される（例えば、ＵＬグラントにおいて示される）必要がある。
【００２７】
ＵＬグラントの検出に基づいて、スケジューリングされるＵＥは、そのリソース割当て情報、及びどのＵＬサブフレームがそれに割り当てられるかを識別する。例えば、図２に示すように、複数のサブフレーム（例えば、サブフレーム＃７及びサブフレーム＃８）がスケジューリングされ、候補ダウンリンクサブフレーム（例えば、サブフレーム＃１）上で、アップリンク送信のために少なくとも１つのＵＥ（例えば、ＵＥ１／ＵＥ２）に対してグラントされ得る。
【００２８】
セルフスケジューリングでのＵＬ  ｅＬＡＡの状況において、ここで説明する主題の実施形態は、ＤＬチャネルが利用可能の場合にＵＬグラントの機会送信を可能とすることでＵＬ送信のスケジューリング機会を増加させる。ここで説明する主題の実施形態の解決手段は、以下の効果を有する。
【００２９】
（１）この解決手段によって、ｅＮＢが複数の候補サブフレームのうちの１つにおけるサブフレームにおいてＵＬ送信のためのＵＬグラントを示すことが可能となる。そのため、複数の候補サブフレームの任意の１つでチャネルがアイドル状態の場合、ＵＬグラントは送信され得る。提案される解決手段は、あらかじめ定義されたスケジューリング遅延での従来のＵＬグラント送信と比較して、より多くの送信機会をＵＬに提供する。ＵＬグラントＤＣＩの検出に従って、スケジューリングされるＵＥは、ＵＬグラントのタイミング指示に基づいて、ＵＬ送信のためにどのサブフレームにおいてそれらがスケジューリングされるかを把握する。
【００３０】
同一のＵＬサブフレームにおいてスケジューリングされる異なるＵＥのために、対応するＵＬグラント情報は、異なる候補サブフレームにおいてｅＮＢによって示されてｅＮＢ側での柔軟なスケジューリングを可能とし得る。
【００３１】
複数サブフレームスケジューリング（すなわち、チャネルがアイドル状態であることをｅＮＢが検知すると、ＵＬグラントを介して複数のサブフレームがＵＥにスケジューリングされ得る）が、ＵＬグラントのためにサポートされ、複数サブフレームスケジューリングＵＬグラントの利用と組み合わされると、フォワードＵＬグラントはＵＬ送信のスケジューリング機会を更に増加させることができる。
【００３２】
なお、ここで説明する主題の実施形態はまた、セルフスケジューリングでのＵＬ  ｅＬＡＡ以外の場合においても使用可能である。例えば、ここで説明する主題の実施形態が有益であるとされる場合、ＬＴＥシステムにおけるＤＬ又はＵＬ送信に使用され得る。
【００３３】
図３に、ここで説明する主題の実施形態によるアップリンクグラントのための送信方法を示す。それは、図３に示すようにステップＳ３０１〜Ｓ３０４を備える。Ｓ３０１で、アップリンクグラントは複数の候補ダウンリンクサブフレームからダウンリンクサブフレームを選択することによって送信され、複数のダウンリンクサブフレームのすべては少なくとも１つのＵＥが同一のアップリンクサブフレーム上でバーストデータを送信開始するようにスケジューリングすることができる。選択的に、Ｓ３０２において、アップリンクグラントを送信するために使用されるアイドル状態のダウンリンクサブフレームが、モニタリング動作によって複数の候補ダウンリンクサブフレームから決定される。選択的に、Ｓ３０３において、最小スケジューリング遅延要件を満たし、選択されたダウンリンクサブフレームとアップリンクサブフレームとの間の実際の遅延は、第１のダウンリンク制御情報によって動的に示される。選択的に、Ｓ３０４において、バーストデータの継続期間は、第２のダウンリンク制御情報で動的に示される。
【００３４】
図４に、ここで説明する主題の実施形態による、アップリンクグラントを送信するための装置４００を示す。装置４００は、送信モジュール４０１、モニタリングモジュール４０２、第１の指示モジュール４０３及び第２の指示モジュール４０４を含む。送信モジュール４０１は、複数の候補ダウンリンクサブフレームからダウンリンクサブフレームを選択することによって、ＵＬグラントを送信するのに使用され、複数のダウンリンクサブフレームの各々は、少なくとも１つのＵＥのスケジューリングが同一のアップリンクサブフレームにおいてバーストデータを送信開始することを可能とする。モニタリングモジュール４０２は、モニタリング動作に基づいて、複数の候補ダウンリンクサブフレームからアイドル状態のダウンリンクサブフレームを、アップリンクグラントを送信するためのダウンリンクサブフレームとして決定するのに使用され得る。第１の指示モジュール４０３は、選択されたダウンリンクサブフレームとアップリンクサブフレームとの間の実際の遅延を第１のダウンリンク制御情報で動的に示すのに使用され、実際の遅延は最小スケジューリング遅延要件の要件を満たす。第２の指示モジュール４０４は、バーストデータの継続期間を第２のダウンリンク制御情報で動的に示すのに使用される。
【００３５】
図５に、ここで説明する主題の実施形態による、ＵＬグラントを受信するための装置５００を示す。装置５００は、ダウンリンクサブフレーム上で送信されるアップリンクグラントを受信し、ここでＵＬグラントを送信するためのダウンリンクサブフレームは複数の候補ダウンリンクサブフレームから選択され、複数のダウンリンクサブフレームのすべては少なくとも１つのＵＥが同一のアップリンクサブフレーム上でバーストデータを送信開始することをスケジューリングすることができ；最小スケジューリング遅延の要件を満たし、選択されたダウンリンクサブフレームとアップリンクサブフレームとの間の実際の遅延を動的に示す第１のダウンリンク制御情報を受信し；バーストデータの継続期間を動的に示す第２のダウンリンク制御情報を受信するための受信モジュール５０１を含む。
【００３６】
ここで説明する主題の実施形態による技術的解決手段のいくつかの実施形態をセルフスケジューリングでのＵＬ  ｅＬＬＡ−ＬＴＥとの組合せにおいてのみ示すが、ここで説明する主題の実施形態はセルフスケジューリングでのＵＬ  ｅＬＬＡ以外の場合においても使用可能であることが理解されるべきである。上述のように、ここで説明する主題の実施形態の解決手段が有益であるとみなされる場合、ＬＴＥシステムのためのＤＬ送信及びＵＬ送信にも採用され得る。さらに、ここで説明する主題の実施についての技術的解決手段は、上述の実施形態の開示に限定されることなく、ここで説明する主題の実施形態の保護範囲は特許請求の範囲の内容によってのみ限定される。
【図１】
2020102892.tif 000003
【図２】
2020102892.tif 000004
【図３】
2020102892.tif 000005
【図４】
2020102892.tif 000006
【図５】
2020102892.tif 000007